(57)【特許請求の範囲】
【請求項１】
中間周波増幅段とビデオ信号選択用フィルタとの間に接続される中間周波結合回路であって、直列接続されたインピーダンス整合用抵抗と、インダクタと第１コンデンサの直列回路に第２コンデンサが並列接続された並列回路からなり、前記直列回路は選択チャネル周波数成分に直列共振し、前記並列回路は前記選択チャネルの下側隣接チャネル周波数に並列共振する下側隣接チャネル除去用トラップ回路であることを特徴とするテレビジョンチューナ用中間周波結合回路。
【請求項２】
前記中間周波増幅段と前記中間周波結合回路との間に中間周波テストポイントが設けられていることを特徴とする請求項１に記載のテレビジョンチューナ用中間周波結合回路。
【請求項３】
前記中間周波結合回路とビデオ信号選択用フィルタとの間に中間周波信号出力端子が設けられていることを特徴とする請求項１に記載のテレビジョンチューナ用中間周波結合回路。
【発明の詳細な説明】
【０００１】
【発明の属する技術分野】
本発明は、テレビジョンチューナ用中間周波結合回路に係り、特に、中間周波結合回路と次続するビデオ信号選択用フィルタとの間にインダクタを接続することなく、インピーダンス整合機能と隣接チャネル周波数成分を除去するトラップ機能とを有することを可能にしたテレビジョンチューナ用中間周波結合回路に関する。
【０００２】
【従来の技術】
従来、欧州等のカラーテレビジョン標準方式であるＰＡＬ（Ｐｈａｓｅ  Ａｌｔｅｒｎａｔｉｎｇ  ｂｙ  Ｌｉｎｅ）方式に用いられるテレビジョンチューナにおいては、受信選択チャネルに対してその選択チャネルの下側隣接チャネル周波数成分を除去するために、中間周波増幅段とビデオ信号選択用フィルタとの間に中間周波結合回路を設け、その中間周波結合回路内にインダクタとコンデンサの並列共振回路を有する誘導Ｍ型トラップ回路を設けたり、ブリッジＴ型トラップ回路を設けたりして、選択チャネルの下側隣接チャネル周波数成分を除去するようにしていた。
【０００３】
ここで、図３は、このような中間周波結合回路を備えたテレビジョンチューナの構成の第１の例を示すもので、中間周波結合回路に誘導Ｍ型トラップ回路を設けた例を示すものである。
【０００４】
図３に示されるように、このテレビジョンチューナは、中間周波結合回路（ＩＦ結合部）３１と、高周波増幅段（ＲＦＡＭＰ）３２と、高周波ミキサ段（ＭＩＸ）３３と、中間周波同調段（ＩＦ同調）３４と、中間周波増幅段（ＩＦＡＭＰ）３５と、ビデオ信号選択用フィルタを構成する表面弾性波フィルタ（ＳＡＷ）３６と、受信アンテナ３７と、ビデオ信号出力端子３８と、中間周波信号出力端子兼中間周波テスト端子３９とからなっている。この場合、中間周波結合回路３１は、第１インダクタ３１1 と、第１コンデンサ３１2 と、第２コンデンサ３１3 と、第２インダクタ３１4 とからなり、第１インダクタ３１1 と第１コンデンサ３１2 は選択チャネルの下側隣接チャネル周波数成分を除去するトラップ回路を構成し、第２インダクタ３１4 は中間周波信号出力端子兼中間周波テスト端子３９と表面弾性波フィルタ３６とのインピーダンス整合を図るものである。
【０００５】
そして、高周波増幅段３２は、入力端が受信アンテナ３７に接続され、出力端が高周波ミキサ段３３の入力端に接続される。中間周波同調段３４は、入力端が高周波ミキサ段３３の出力端に接続され、出力端が中間周波増幅段３５の入力端に接続される。中間周波増幅段３５は、出力端が中間周波結合回路３１の入力端に接続される。表面弾性波フィルタ３６は、中間周波結合回路３１の出力端に接続され、出力端がビデオ信号出力端子３８に接続される。また、中間周波結合回路３１において、第１インダクタ３１1 及び第１コンデンサ３１2 は、それぞれ、一端が中間周波結合回路３１の入力端に接続され、他端が第２コンデンサ３１3 の一端と中間周波信号出力端子兼中間周波テスト端子３９に接続される。第２インダクタ３１4 は、一端が第２コンデンサ３１3 の一端と中間周波信号出力端子兼中間周波テスト端子３９に接続され、他端が中間周波結合回路３１の出力端に接続される。第２コンデンサ３１3 は、他端が接地点に接続される。
【０００６】
前記構成によるテレビジョンチューナは、概略、次のように動作する。
【０００７】
アンテナ３７にテレビジョン電波が到来すると、その到来電波は、アンテナ３７から高周波信号として高周波増幅段３２に供給され、そこで所定の信号レベルに増幅され、高周波ミキサ段３３に供給される。高周波ミキサ段３３は、高周波信号と局部発振信号とを周波数混合して周波数混合信号を形成し、中間周波増幅段３５に供給する。中間周波増幅段３５は、供給された周波数混合信号の中から中間周波信号を選択増幅し、増幅した中間周波信号を中間周波結合回路３１に供給する。中間周波結合回路３１は、第１インダクタ３１1 と第１コンデンサ３１2 とからトラップ回路において、供給された中間周波信号に含まれている選択チャネルの下側隣接チャネル周波数成分をトラップ除去し、下側隣接チャネル周波数成分を除去した中間周波信号を中間周波信号出力端子兼中間周波テスト端子３９に供給するとともに、第２インダクタ３１4 を通して表面弾性波フィルタ３６に供給する。この場合、表面弾性波フィルタ３６は、供給された中間周波信号の中からビデオ信号成分を抽出し、抽出したビデオ信号成分がビデオ信号出力端子３８に供給される。
【０００８】
次に、図４は、前述のような中間周波結合回路を備えたテレビジョンチューナの構成の第２の例を示すものであって、中間周波結合回路にブリッジＴ型トラップ回路を設けた例を示すものである。なお、この例においては、中間周波結合回路の周辺回路部分だけを示したもので、図３に図示された構成要素と同じ構成要素については同じ符号を付けている。
【０００９】
図４に示されるように、このテレビジョンチューナは、中間周波結合回路（ＩＦ結合部）４１と、中間周波増幅段（ＩＦＡＭＰ）３５と、ビデオ信号選択用フィルタを構成する表面弾性波フィルタ（ＳＡＷ）３６と、ビデオ信号出力端子３８と、中間周波信号出力端子兼中間周波テスト端子３９とを備えており、その他の構成要素は図示が省略されている。この場合、中間周波結合回路４１は、第１コンデンサ４１1 と、第２コンデンサ４１2 と、第３コンデンサ４１3 と、抵抗４１4 と、第１インダクタ４１5 と、第２インダクタ４１6 とからなり、第２コンデンサ４１2 、第３コンデンサ４１3 、抵抗４１4 、第１インダクタ４１5 は選択チャネルの下側隣接チャネル周波数成分を除去するトラップ回路を構成し、第２インダクタ３１6 は中間周波信号出力端子兼中間周波テスト端子３９と表面弾性波フィルタ３６とのインピーダンス整合を図るものである。
【００１０】
そして、中間周波結合回路４１において、第１コンデンサ４１1 、第２コンデンサ４１2 、抵抗４１4 の一端は、それぞれ、中間周波結合回路４１の入力端と中間周波信号出力端子兼中間周波テスト端子３９に接続され、第１コンデンサ４１1 は、他端が接地点に接続される。第２コンデンサ４１2 は、他端が第３コンデンサ４１3 と第１インダクタ４１5 の一端にそれぞれ接続され、第１インダクタ４１5 は、他端が接地点に接続される。第２コンデンサ３１3 の一端と中間周波信号出力端子兼中間周波テスト端子３９に接続される。抵抗４１4 と第３コンデンサ４１3 は、それぞれ他端が第２インダクタ４１6 の一端に接続され、第２インダクタ４１6 は、他端が中間周波結合回路４１の出力端に接続される。
【００１１】
前記構成によるテレビジョンチューナは、概略、次のように動作する。ただし、このテレビジョンチューナの動作は、中間周波結合回路４１で実行される動作を除けば、図３に図示されたテレビジョンチューナの動作と同じであるので、ここでは中間周波結合回路４１で実行される動作についてだけ説明する。
【００１２】
中間周波結合回路４１は、中間周波信号が供給されると、第２コンデンサ４１2 と、第３コンデンサ４１3 と、抵抗４１4 と、第１インダクタ４１5 とからなるトラップ回路において、供給された中間周波信号に含まれている選択チャネルの下側隣接チャネル周波数成分をトラップ除去し、下側隣接チャネル周波数成分を除去した中間周波信号を中間周波信号出力端子兼中間周波テスト端子３９に供給するとともに、第２インダクタ４１6 を通して表面弾性波フィルタ３６に供給する。この場合においても、表面弾性波フィルタ３６は、供給された中間周波信号の中からビデオ信号成分を抽出し、抽出したビデオ信号成分がビデオ信号出力端子３８に供給される。
【００１３】
【発明が解決しようとする課題】
前記既知のテレビジョンチューナ用中間周波結合回路３１及びテレビジョンチューナ用中間周波結合回路４１は、以下に述べるように種々の問題点を有している。すなわち、
その第１は、中間周波増幅段３５の出力端と表面弾性波フィルタ３６の入力端とのインピーダンス整合を図るため、どうしても表面弾性波フィルタ３６の入力端に直列に第２インダクタ３１4 や第２インダクタ４１6 を接続する必要があり、その分、部品点数が増えることになる。
【００１４】
その第２は、中間周波増幅段３５の出力端と中間周波信号出力端子兼中間周波テスト端子３９とが低インピーダンス状態で接続されため、中間周波増幅段３５を含む集積回路（図示なし）がこの低インピーダンスによって静電破壊（ＥＳＤ）を起こす可能性が高くなる。
【００１５】
その第３は、テレビジョンチューナ用中間周波結合回路３１においては、選択チャネルの下側隣接チャネル周波数成分をトラップするトラップ回路のトラップ周波数の減衰度を上昇させようとすると、選択チャネルの映像搬送波周波数成分の減衰度が増大してしまう。
【００１６】
その第４は、テレビジョンチューナ用中間周波結合回路４１においては、選択チャネルの下側隣接チャネル周波数成分をトラップするトラップ回路のトラップ周波数の減衰度を上昇させようとして抵抗４１4 の抵抗値を増大させると、その抵抗値の増大により選択チャネル周波数成分の減衰度が大きくなってしまう。
【００１７】
本発明は、このような技術的背景に鑑みてなされたもので、その目的は、選択チャネルの減衰度を増やすことなく、選択チャネルの下側隣接チャネル周波数成分のトラップ減衰度を増やすようにし、インピーダンス整合用インダクタをなくしたテレビジョンチューナ用中間周波結合回路を提供することにある。
【００１８】
【課題を解決するための手段】
前記目的を達成するために、本発明によるテレビジョンチューナ用中間周波結合回路は、中間周波増幅段とビデオ信号選択用フィルタとの間に接続されるものであって、直列接続されたインピーダンス整合用抵抗と、インダクタと第１コンデンサの直列回路に第２コンデンサが並列接続された並列回路からなり、前記直列回路は選択チャネル周波数成分に直列共振し、前記並列回路は選択チャネルの下側隣接チャネル周波数に並列共振する下側隣接チャネル除去用トラップ回路である手段を備える。
【００１９】
前記手段によれば、インダクタと第１コンデンサの直列回路とこの直列回路に第２コンデンサが並列接続された並列回路を設けているもので、インダクタと第１コンデンサの直列回路によって選択チャネルの中間周波信号成分が抽出され、この直列回路のインダクタンス成分と第２コンデンサの容量成分とからなる並列共振回路により選択チャネルの下側隣接チャネル周波数成分のトラップが行われるので、選択チャネルの減衰度を少なくした状態で、選択チャネルの下側隣接チャネル周波数成分のトラップ減衰度を増やすことができ、さらに、インピーダンス整合用抵抗の配置により中間周波増幅段の出力端とビデオ信号選択用フィルタの入力端との間のインピーダンス整合を達成することが可能になる。
【００２０】
【発明の実施の形態】
以下、本発明の実施の形態を図面を参照して説明する。
【００２１】
図１は、本発明によるテレビジョンチューナ用中間周波結合回路の１つの実施の形態を示すもので、この中間周波結合回路を備えたテレビジョンチューナの構成を示す構成図である。
【００２２】
図１に示されるように、このテレビジョンチューナは、中間周波結合回路（ＩＦ結合部）１と、高周波増幅段（ＲＦＡＭＰ）２と、高周波ミキサ段（ＭＩＸ）３と、中間周波同調段（ＩＦ同調）４と、中間周波増幅段（ＩＦＡＭＰ）５と、ビデオ信号選択用フィルタを構成する表面弾性波フィルタ（ＳＡＷ）６と、受信アンテナ７と、ビデオ信号出力端子８と、中間周波信号出力端子９と、中間周波テスト端子１０とからなっている。この場合、中間周波結合回路１は、抵抗１1 と、インダクタ１2 と、第１コンデンサ１3 と、第２コンデンサ１4 と、第３コンデンサ１5 とからなっている。インダクタ１2 と第１コンデンサ１3 の直列回路は、選択チャネルの中間周波数成分に直列共振するように、それらのインダクタンス値と容量値が設定されるとともに、インダクタ１2 と第１コンデンサ１3 の直列回路の誘導性リアクタンスと、第２コンデンサ１4 の容量性リアクタンスとは、選択チャネルの下側隣接チャネル周波数成分に並列共振してそのトラップ機能を有するように、それらのインダクタンス値と容量値が設定される。また、抵抗１1 は、中間周波増幅段５の出力端と表面弾性波フィルタ６の入力端とのインピーダンス整合を図るもので、インピーダンス整合が達成されるようにその抵抗値が設定される。
【００２３】
そして、高周波増幅段２は、入力端が受信アンテナ７に接続され、出力端が高周波ミキサ段３の入力端に接続される。中間周波同調段４は、入力端が高周波ミキサ段３の出力端に接続され、出力端が中間周波増幅段５の入力端に接続される。中間周波増幅段５は、出力端が中間周波結合回路１の入力端と中間周波テスト端子１０に接続される。表面弾性波フィルタ６は、中間周波結合回路１の出力端と中間周波信号出力端子９に接続され、出力端がビデオ信号出力端子８に接続される。また、中間周波結合回路１において、抵抗１1 は、一端が中間周波結合回路１の入力端に接続され、他端がそれぞれインダクタ１2 と第２コンデンサ１4 の一端に接続される。インダクタ１2 は、他端が第１コンデンサ１3 の一端に接続される。第２コンデンサ１4 と第２コンデンサ１4 は、他端がそれぞれ第３コンデンサ１5 の一端と中間周波結合回路１の出力端に接続され、第３コンデンサ１5 は、他端が接地点に接続される。
【００２４】
前記構成によるテレビジョンチューナは、概略、次のように動作する。
【００２５】
アンテナ７にテレビジョン電波が到来すると、その到来電波は、アンテナ７から高周波信号として高周波増幅段２に供給され、そこで所定の信号レベルに増幅され、高周波ミキサ段３に供給される。高周波ミキサ段３は、高周波信号と局部発振信号とを周波数混合して周波数混合信号を形成し、その周波数混合信号を中間周波増幅段５に供給する。中間周波増幅段５は、供給された周波数混合信号の中から中間周波信号を選択増幅し、増幅した中間周波信号を中間周波結合回路１に供給する。中間周波結合回路１は、入力端に中間周波信号が供給されると、選択チャネルの中間周波数成分に直列共振する、インダクタ１2 と第１コンデンサ１3 とからなる直列回路によって、中間周波信号の中の選択チャネル周波数成分を殆んど減衰させずに出力端に伝送させ、一方、選択チャネルの下側隣接チャネル周波数成分に並列共振する、インダクタ１2 と第１コンデンサ１3 の直列回路が呈する誘導性リアクタンスと第２コンデンサ１4 が呈する容量性リアクタンスとの並列共振回路によって、中間周波信号の中の下側隣接チャネル周波数成分を大幅に減衰した状態で出力端に伝送させているので、選択チャネルの減衰度を増やすことなしに、選択チャネルの下側隣接チャネル周波数成分のトラップ減衰度を増やすようにした中間周波信号が中間周波結合回路１から出力される。この場合、抵抗１1 によって中間周波増幅段５の出力端と表面弾性波フィルタ６の入力端との間のインピーダンス整合を達成している。中間周波結合回路１から出力された中間周波信号は、直接中間周波信号出力端子９に供給されるとともに、表面弾性波フィルタ６に供給される。この場合、表面弾性波フィルタ６は、供給された中間周波信号の中からビデオ信号成分を抽出し、抽出したビデオ信号成分がビデオ信号出力端子８に供給される。
【００２６】
次に、図２は、図１に図示された中間周波結合回路１の周波数伝送特性の一例を示す特性図であって、比較のために、図３に図示された中間周波結合回路３１の周波数伝送特性とトラップを有しない中間周波結合回路の周波数伝送特性とを併せて表しているものである。
【００２７】
図２において、横軸はＭＨｚで表した周波数であり、縦軸はｄＢで表した信号レベルである。図２の中で、実線は中間周波結合回路１の周波数伝送特性、一点鎖線は中間周波結合回路３１の周波数伝送特性、点線はトラップを有しない中間周波結合回路の周波数伝送特性を示すものである。
【００２８】
図２の点線で示されるように、トラップを有しない中間周波結合回路の周波数伝送特性は、選択チャネル周波数成分（映像搬送周波数３８．９ＭＨｚ）の減衰度が比較的小さいものの、選択チャネルの下側隣接チャネル周波数成分（４１．４ＭＨｚ）のトラップ減衰度が殆ど期待できないものである。
【００２９】
また、図２の一点鎖線で示されるように、中間周波結合回路３１の周波数伝送特性は、選択チャネルの下側隣接チャネル周波数成分（４１．４ＭＨｚ）のトラップ減衰度が若干大きくなるものの、選択チャネル周波数成分（映像搬送周波数３８．９ＭＨｚ）の減衰度が大きくなり、中間周波結合回路３１における信号ロスが増大するものである。
【００３０】
これに対して、中間周波結合回路１の周波数伝送特性は、選択チャネル周波数成分（映像搬送周波数３８．９ＭＨｚ）の減衰度が比較的小さいだけでなく、選択チャネル周波数成分（映像搬送周波数３８．９ＭＨｚ）の減衰度が極めて大きくなり、良好な周波数伝送特性を持った中間周波結合回路１を得ることができるものである。
【００３１】
【発明の効果】
以上のように、本発明によれば、インダクタと第１コンデンサの直列回路とこの直列回路に第２コンデンサが並列接続された並列回路を設けているもので、インダクタと第１コンデンサの直列回路によって選択チャネルの中間周波信号成分が抽出され、この直列回路のインダクタンス成分と第２コンデンサの容量成分とからなる並列共振回路により選択チャネルの下側隣接チャネル周波数成分のトラップが行われるので、選択チャネルの減衰度を少なくした状態で、選択チャネルの下側隣接チャネル周波数成分のトラップ減衰度を増やすことができ、さらに、インピーダンス整合用抵抗の配置により中間周波増幅段の出力端とビデオ信号選択用フィルタの入力端との間のインピーダンス整合を達成することが可能になるという効果がある。
【図面の簡単な説明】
【図１】本発明によるテレビジョンチューナ用中間周波結合回路の１つの実施の形態を示すもので、この中間周波結合回路を備えたテレビジョンチューナの構成を示す構成図である。
【図２】図１に図示された中間周波結合回路の周波数伝送特性の一例を示す特性図である。
【図３】既知の中間周波結合回路を備えたテレビジョンチューナの構成の第１の例を示すものである。
【図４】既知の中間周波結合回路を備えたテレビジョンチューナの構成の第２の例を示すものである。
【符号の説明】
１  中間周波結合回路（ＩＦ結合部）
１1   抵抗
１2   インダクタ
１3   第１コンデンサ
１4   第２コンデンサ
１5   第３コンデンサ
２  高周波増幅段（ＲＦＡＭＰ）
３  高周波ミキサ段（ＭＩＸ）
４  中間周波同調段（ＩＦ同調）
５  中間周波増幅段（ＩＦＡＭＰ）
６  表面弾性波フィルタ（ビデオ信号選択用フィルタ、ＳＡＷ）
７  受信アンテナ
８  ビデオ信号出力端子
９  中間周波信号出力端子
１０  中間周波テスト端子
【図１】
0003689642.tif 000002
【図２】
0003689642.tif 000003
【図３】
0003689642.tif 000004
【図４】
0003689642.tif 000005